(57)【特許請求の範囲】
【請求項１】
調理物を内部に収容する調理室、空気を循環させる冷却ファン及び高周波を発生させるマグネトロンを有する電子レンジの制御方法において、
調理指令を設定する段階と、
前記調理指令に応じてマグネトロンの出力を制御することにより、調理用水が煮えこぼれることを防止しながら沸騰するまで加熱する第１調理を行う段階と、
前記第１調理を行うのにかかる時間に応じて第２調理時間を設定する段階と、
調理物を蒸らしながら前記第２調理時間の間に第２調理を行う段階と
を含み、
前記第１調理段階の前半のマグネトロンの出力は、後半の出力よりも高い
ことを特徴とする電子レンジの制御方法。
【請求項２】
前記方法は、前記第１調理前の電力供給時間に相応する初期化時間の間に冷却ファンのみを作動させるため、初期化動作を行う段階をさらに含むことを特徴とする請求項１記載の電子レンジの制御方法。
【請求項３】
前記初期化動作を行う段階は、
前記電力供給時間を決定する段階と、
前記電力供給時間が基準時間より短いか同一であると、第１初期化時間の間に冷却ファンのみを作動させるため、第１初期化動作を行う段階と、
前記電力供給時間が前記基準時間より長いと、前記第１初期化時間より短い第２初期化時間の間に冷却ファンのみを作動させるため、第２初期化動作を行う段階と
を含むことを特徴とする請求項２記載の電子レンジの制御方法。
【請求項４】
前記電子レンジは前記調理室の湿度を感知する湿度センサーをさらに含み、
前記第１調理を行う段階は、
前記マグネトロンを最大出力で作動させる段階と、
前記最大出力でのマグネトロンの作動時間が所定時間を超えるかを判断する段階と、
前記作動時間が前記所定時間を超えると、調理用水が煮えこぼれることを防止するため、前記マグネトロンの出力を前記最大出力より低く制御する段階と、
前記湿度センサーにより調理用水が沸いたことを感知する段階と、
前記湿度センサーにより調理用水が沸いたことが感知されると、調理用水が沸くまでに経過した時間に基づいて第２調理時間を決定する段階と
を含むことを特徴とする請求項１記載の電子レンジの制御方法。
【請求項５】
前記出力を低く制御する段階は、
前記マグネトロンの作動時間が第１基準時間を超えるとともに前記調理指令の設定が水に浸かったお米を調理するための指令であると、前記マグネトロンの出力を前記最大出力より低く制御する段階と、
前記マグネトロンの作動時間が前記第１基準時間より長い第２基準時間を超えるとともに前記調理指令の設定が水に浸かったお米を調理するための指令でないと、前記マグネトロンの出力を前記最大出力より低く制御する段階と
を含むことを特徴とする請求項４記載の電子レンジの制御方法。
【請求項６】
前記第２調理時間は、前記第１調理を行うのにかかる時間に調理物の種類に相応する設定因子を掛けることにより得られることを特徴とする請求項４記載の電子レンジの制御方法。
【請求項７】
前記第２調理時間は、前記第１調理を行うのにかかる時間と所定時間を合わせることにより得られることを特徴とする請求項４記載の電子レンジの制御方法。
【請求項８】
前記第２調理時間の決定段階は、
前記第１調理で前記マグネトロンが前記最大出力で作動した後、前記湿度センサーにより調理用水が沸いたことが感知されると、設定基準時間を決定する段階と、
前記設定基準時間が経過すると、前記第２調理時間を設定最小時間として設定する段階と
を含むことを特徴とする請求項４記載の電子レンジの制御方法。
【請求項９】
前記第２調理を行う段階は、
前記マグネトロンの出力を、調理物を蒸らすための設定出力に設定する段階と、
前記第２調理時間が経過したかを判断する段階と、
前記第２調理時間が経過すると、前記マグネトロン及び冷却ファンの作動を停止させる段階と
を含むことを特徴とする請求項１記載の電子レンジの制御方法。
【請求項１０】
前記第２調理時間の設定段階は、前記設定基準時間が経過すると、前記第１調理を行うのにかかる時間に設定因子を掛けること、又は前記第１調理を行うのにかかる時間と所定時間を合わせることによりなされることを特徴とする請求項８記載の電子レンジの制御方法。
【請求項１１】
冷却ファンと調理用マグネトロンを有する電子レンジの制御方法を実行するための作動指令がコード化された、コンピュータにより作動するコンピュータの読み取り可能な媒体において、前記方法は、
調理指令を設定する段階と、
前記調理指令に応じてマグネトロンの出力を制御することにより、調理用水が煮えこぼれることを防止しながら沸騰するまで加熱する第１調理を行う段階と、
前記第１調理を行うのにかかる時間に応じて第２調理時間を設定する段階と、
調理物を蒸らしながら前記第２調理時間の間に第２調理を行う段階と
を含み、
前記第１調理段階の前半のマグネトロンの出力は、後半の出力よりも高い
ことを特徴とするコンピュータの読み取り可能な媒体。
【請求項１２】
前記方法は、前記第１調理前の電力供給時間に相応する初期化時間の間に冷却ファンのみを作動させるため、初期化動作を行う段階をさらに含むことを特徴とする請求項１１記載のコンピュータの読み取り可能な媒体。
【請求項１３】
前記初期化動作を行う段階は、
前記電力供給時間を決定する段階と、
前記電力供給時間が基準時間より短いか同一であると、第１初期化時間の間に冷却ファンのみを作動させるため、第１初期化動作を行う段階と、
前記電力供給時間が前記基準時間より長いと、前記第１初期化時間より短い第２初期化時間の間に冷却ファンのみを作動させるため、第２初期化動作を行う段階と
を含むことを特徴とする請求項１２記載のコンピュータの読み取り可能な媒体。
【請求項１４】
前記第１調理を行う段階は、
前記マグネトロンを最大出力で作動させる段階と、
前記最大出力でのマグネトロンの作動時間が所定時間を超えるかを判断する段階と、
前記作動時間が前記所定時間を超えると、調理用水が煮えこぼれることを防止するため、前記マグネトロンの出力を前記最大出力より低く制御する段階と、
前記湿度センサーにより調理用水が沸いたことを感知する段階と、
前記湿度センサーにより調理用水が沸いたことが感知されると、調理用水が沸くまでに経過した時間に基づいて第２調理時間を決定する段階と
を含むことを特徴とする請求項１１記載のコンピュータの読み取り可能な媒体。
【請求項１５】
前記出力を低く制御する段階は、
前記マグネトロンの作動時間が第１基準時間を超えるとともに前記調理指令の設定が水に浸かったお米を調理するための指令であると、前記マグネトロンの出力を前記最大出力より低く制御する段階と、
前記マグネトロンの作動時間が前記第１基準時間より長い第２基準時間を超えるとともに前記調理指令の設定が水に浸かったお米を調理するための指令でないと、前記マグネトロンの出力を前記最大出力より低く制御する段階と
を含むことを特徴とする請求項１４記載のコンピュータの読み取り可能な媒体。
【請求項１６】
前記第２調理時間は、前記第１調理を行うのにかかる時間に調理物の種類に相応する設定因子を掛けることにより得られることを特徴とする請求項１４記載のコンピュータの読み取り可能な媒体。
【請求項１７】
前記第２調理時間は、前記第１調理を行うのにかかる時間と所定時間を合わせることにより得られることを特徴とする請求項１４記載のコンピュータの読み取り可能な媒体。
【請求項１８】
前記第２調理時間の決定段階は、
前記第１調理で前記マグネトロンが前記最大出力で作動した後、前記湿度センサーにより調理用水が沸いたことが感知されると、設定基準時間を決定する段階と、
前記設定基準時間が経過すると、前記第２調理時間を設定最小時間として設定する段階と
を含むことを特徴とする請求項１４記載のコンピュータの読み取り可能な媒体。
【請求項１９】
前記第２調理を行う段階は、
前記マグネトロンの出力を、調理物を蒸らすための設定出力に設定する段階と、
前記第２調理時間が経過したかを判断する段階と、
前記第２調理時間が経過すると、前記マグネトロン及び冷却ファンの作動を停止させる段階と
を含むことを特徴とする請求項１１記載のコンピュータの読み取り可能な媒体。
【請求項２０】
前記第２調理時間の設定段階は、前記設定基準時間が経過すると、前記第１調理を行うのにかかる時間に設定因子を掛けること、又は前記第１調理を行うのにかかる時間と所定時間を合わせることによりなされることを特徴とする請求項１８記載のコンピュータの読み取り可能な媒体。
【請求項２１】
調理物を内部に収容する調理室と、
空気を調理室内に循環させる冷却ファンと、
高周波を発生させて調理物を調理するマグネトロンと、
調理室内の湿度を感知する湿度センサーと、
電子レンジの調理動作を制御することで、前記マグネトロンの出力を制御して調理用水が煮えこぼれないようにしながら沸騰するまで加熱する第１調理動作を行うとともに、前記第１調理動作と前記湿度センサーで感知された湿度に基づいて設定された時間の間に設定出力で調理物を蒸らすための第２調理動作を行う制御部と
を含み、
前記第１調理段階の前半のマグネトロンの出力は、後半の出力よりも高い
ことを特徴とする電子レンジ。
【請求項２２】
調理物を内部に収容する調理室、空気を循環させる冷却ファン、高周波を発生させるマグネトロン及び調理室内の湿度を感知する湿度センサーを有する電子レンジの制御方法において、
調理指令を設定する段階と、
前記調理指令に相応する所定時間の間に前記マグネトロンを最大出力で作動させるとともに、前記所定時間が経過すると調理用水が煮えこぼれないようにするため前記マグネトロンの出力を第１出力に低めることで、第１調理時間の間に沸騰するまで加熱する第１調理を行う段階と、
前記湿度センサーにより調理用水が沸いたことが感知されると、前記第１調理時間を決定する段階と、
調理物を蒸らすためにマグネトロンの出力を第２出力に低めるとともに、前記マグネトロンを前記第１調理時間に基づいて設定された第２調理時間の間に第２出力で作動させることで、第２調理を行う段階と
を含むことを特徴とする電子レンジの制御方法。
【請求項２３】
前記第１調理時間を決定する段階は、前記第１調理時間を前記湿度センサーにより調理用水が沸いたことが感知されるまでに経過した時間として設定することからなることを特徴とする請求項２２記載の電子レンジの制御方法。
【請求項２４】
前記第２出力は前記第１出力より低いことを特徴とする請求項２３記載の電子レンジの制御方法。
【発明の詳細な説明】
【０００１】
【発明の属する技術分野】
本発明は茶碗飯を炊事することができる電子レンジの制御方法に関するものである。
【０００２】
【従来の技術】
一般に、電子レンジは、マグネトロンから基本波２４５０ＭＨｚの高周波を調理室に放射して、調理物に含有された水分の分子配列を繰り返し変換させることで、分子間の摩擦熱により、調理物を調理する機器である。また、最近では、消費者の多様な要求に応ずるため、一部の電子レンジは、調理物から発生する水蒸気を湿度センサーで検知して調理物を自動に調理するようにした湿度センサーを備えている。前記のような従来の電子レンジは、炊事が可能であるように、別の調理メニューを持っている。
【０００３】
【発明が解決しようとする課題】
ところが、前記従来の電子レンジの炊事調理メニューは少なくとも２人分ないし四人分以上の炊事を基準とした調理プログラムである。すなわち、従来の電子レンジは一人分の炊事のため、マグネトロンの出力を制御することができない。したがって、一人分の炊事を行うと、炊飯の水が煮えこぼれる問題点がある。その結果、炊事が効率よくなく、ご飯が十分に煮えなくて蒸れない。
したがって、本発明はこのような従来の問題点を解決するためになされたもので、その目的は、茶碗飯の調理の際、炊飯の水が煮えこぼれないようにする電子レンジの制御方法を提供することにある。
【０００４】
【課題を解決するための手段】
前記目的を達成するため、本発明は、調理物を内部に収容する調理室、空気を循環させる冷却ファン、高周波を発生させるマグネトロン及び調理室の湿度を感知する湿度センサーを有する電子レンジの制御方法において、調理指令を設定する段階と、前記調理指令に応じてマグネトロンの出力を制御することにより、調理用水が煮えこぼれることを防止しながら第１調理を行う段階と、前記第１調理を行うのにかかる時間に応じて第２調理時間を設定する段階と、調理物を蒸らしながら前記第２調理時間の間に第２調理を行う段階とを含んでなる電子レンジの制御方法を提供する。
【０００５】
【発明の実施の形態】
以下、本発明を添付図面に基づいて詳細に説明する。
図１に示すように、本発明の一実施形態による電子レンジは、外形をなし、内部に調理室１２及び電装品室１１が区画されるように設けられた本体１０と、この本体１０にヒンジ（図示せず）で結合され、調理室１２を開閉するドア１３と、本体１０の前面に設けられる、多数の操作ボタン（図示せず）を有するコントロールパネル１４と、調理室１２の状態を感知するための湿度センサー１７とを含む。
【０００６】
調理室１２は前方が開放され、その底部にはターンテーブル方式の調理トレー１２ａが設けられ、調理トレー１２ａの下部には、調理トレー１２ａを回転させるためのモータ（図示せず）が取り付けられる。そして、調理室１２の一側壁１５の前方には、電装品室１１に連通され、外部空気が流入されるようにする流入口１５ａが形成され、調理室１２の他側壁１６の後方には、調理室１２内の空気が外部へ排出されるようにする排気口１６ａが形成されている。
【０００７】
電装品室１１には、高周波を発振するマグネトロン１１ａと、外部空気を吸入して電装品室を冷却させるための冷却ファン１１ｂと、電装品室１１の空気を流入口１５ａ側に案内する案内ダクト１１ｃとが設けられている。冷却ファン１１ｂはマグネトロン１１ａと電装品室１１の後壁面との間に配設され、電装品室１１の後壁面には、外部空気が流入されるようにする吸入口１１ｄが穿孔されている。
【０００８】
そして、湿度センサー１７は、調理室１２内の空気の排気流路上に位置するように、排気口１６ａに隣接した調理室１２の他側壁１６に設けられる。したがって、湿度センサー１７は排気口１６ａを介して排出される調理室１２の空気の湿度を感知するもので、コントロールパネル１４に内装された後述の制御部に電気的に接続されている。
図２は図１に示す電子レンジを説明するブロック図である。
【０００９】
同図に示すように、本発明による電子レンジは、全動作を制御する制御部３０を含んでおり、使用者から作動命令を受けるため、コントロールパネル１４に設けられた入力部１４ａが制御部３０に接続される。湿度を感知するための前記湿度センサー１７と、調理トレー１２ａの下部に設けられ、調理物の重量を感知する重量センサー１２ｃと、調理物又は調理室１２の温度を検出する温度センサー１８とが制御部３０に接続される。また、本発明による電子レンジは、データを格納する格納部２０を含み、この格納部２０は制御部３０に電気的に接続される。また、マグネトロン１１ａを駆動するマグネトロン駆動部４１と、冷却ファン１１ｂを駆動するファン駆動部４２と、調理トレー１２ａを回転させるモータ１２ｂを駆動するモータ駆動部４３と、コントロールパネル１４に設けられ、情報を表示する表示部１４ｂを駆動する表示駆動部４４とが制御部３０に電気的に接続される。
【００１０】
前記格納部２０には、調理物の種類及び量によって前もって設定される各種の因子及び調理動作中に発生する各種データが格納される。
このように構成された本発明による電子レンジは、調理トレー１２ａに調理物を載置し、コントロールパネル１４の入力部１４ａを操作して作動させると、マグネトロン１１ａから発振された高周波が調理室１２に放射して調理物を調理する。
【００１１】
また、電子レンジの調理動作の際、冷却ファン１１ｂの駆動により、外部空気は吸入口１１ｄを通して電装品室１１に吸入されて電装品室を冷却させ、案内ダクト１１ｃ及び流入口１５ａを通して調理室１２に供給される。次いで、調理室１２の空気は、図１に矢印で示すように、調理物から発生した水蒸気とともに排気口１６ａを通して外部に排出されるので、調理室１２の匂い及び水蒸気が除去される。この際、調理室１２の空気は湿度センサー１７と接触しながら外部へ排出されるため、湿度センサー１７では排出空気中に含まれた水蒸気を感知し、その電気的信号を制御部３０に伝達する。
【００１２】
そして、制御部３０では、湿度センサー１７から伝達される電気的信号（重量センサー１２ｃ及び温度センサー１８の出力信号を含む）に基づき、マグネトロン１１ａ、モータ１２ｂ及び冷却ファン１１ｂを駆動して調理物を自動に調理する。
以下、前述した本発明による電子レンジの茶碗飯の炊事に際して、マグネトロンの出力調節方法について説明する。
【００１３】
図３Ａ及び図３Ｂは本発明による出力制御概念を説明するグラフである。
調理初期には、マグネトロンの出力を最大出力にして、炊飯の水が沸くまで、前もって設定された期間中に調理を行う。そして、設定時間が経過すると、マグネトロンの出力を低め、炊飯の水が沸くまで調理を行う、炊飯の水が沸くと、そのときまでの時間を第１炊事時間（Ｔ１）と設定し、その時間と、前もって設定された因子とにより、第２炊事時間（Ｔ２）を算出する。
【００１４】
第２炊事時間（Ｔ２）は蒸らし時間を示す。前もって設定された時間中にはマグネトロンを設定蒸らし出力で作動させ、第２炊事時間（Ｔ２）が経過すると、調理を終了する。
図４ないし図７は本発明による電子レンジの調理制御方法を説明するための流れ図である。以下、図１ないし図３Ａを参照しながら電子レンジの制御方法を説明する。
【００１５】
まず、調理室１２の調理トレー１２ａに調理物を載置する。そして、ドア１３を閉じた後、コントロールパネル１４に設けられた入力部１４ａの操作ボタンを操作して調理の設定を行う（Ｓ１００）。
次いで、制御部３０は、入力部１４ａを通して入力された情報によって茶碗飯の炊飯であるかを判断する。（Ｓ２００）。ここで、茶碗飯の炊飯であると判断されると、制御部３０は入力部１４ａを介した調理開始の命令が入力されるかを判断する（Ｓ３００）。
【００１６】
段階Ｓ３００で、調理開始命令が入力されると判断されると、制御部３０は初期化段階を行う（Ｓ４００）。前記段階Ｓ４００で、初期化段階を行うため、制御部３０はファン駆動部４２を制御して、冷却ファン１１ｂを初期化時間（ΔＴＲ）の間に作動させる。この際、制御部３０はマグネトロン１１ａは作動させない。
【００１７】
段階Ｓ４００で、初期化時間（ΔＴＲ）の初期化段階が終了すると、制御部３０は第１炊事段階を行う（Ｓ５００）。第１炊事段階を行った後、制御部３０は第１炊事にかかった時間（Ｔ１）と、調理種類によって設定され格納部２０に格納された因子とによって、第２炊事時間（Ｔ２）を設定する。そして、制御部３０は前記第２炊事時間（Ｔ２）の間に第２炊事を行う（Ｓ６００）。第２炊事が終了すると、制御部３０はマグネトロン駆動部４１を制御してマグネトロン１１ａの作動を停止させ、ファン駆動部４２を制御して冷却ファン１１ｂの作動を停止させることで、調理を終了する（Ｓ７００）。
【００１８】
図４の初期化段階（Ｓ４００）を図５に示し、これを図１ないし図３Ａを参照しながら詳細に説明する。
制御部３０は電源が印加された後に基準時間が経過したかを判断する（Ｓ４１０）。基準時間が経過したら、制御部３０は第１初期化段階を実行して、前もって設定された第１初期化時間の間に冷却ファン１１ｂのみを駆動させる（Ｓ４２０）。しかし、段階Ｓ４１０で基準時間が経過していないと、制御部３０は第２初期化段階を実行して、前記第１初期化時間より長い時間の間に初期化段階を行う（Ｓ４３０）。
【００１９】
図４の第１炊事段階を図６に示し、図１ないし図３Ａを参照しながら詳細に説明する。
第１炊事段階を行うため、制御部３０はマグネトロン１１ａの出力を最大出力に設定する（Ｓ５１０）。そして、制御部３０はマグネトロン駆動部４１を制御して、マグネトロン１１ａを最大出力で作動させる。
【００２０】
マグネトロン１１ａから調理室１２に高周波が放射され、高周波に照射された調理物は水分の急速な分子変換による摩擦熱により調理される。また、冷却ファン１１ｂの駆動により、外部空気が吸入孔１１ｄを通して電装品室１１に吸入され、マグネトロン１１ａ及び高圧トランス（図示せず）などを冷却させ、案内ダクト１１ｃ及び流入口１５ａを通して調理室１２に供給される。次いで、調理室に流入された空気は調理動作中に発生した水蒸気とともに排気口１６ａを通して外部へ排出される。
【００２１】
図６に示すように、制御部３０は炊飯の水が沸いたかを湿度センサー１７により判断する（Ｓ５２０）。この際、炊飯の水が沸いていないと、制御部３０は図４の設定段階Ｓ１００で設定された指令が水に浸かったお米の炊事であるかを判断する（Ｓ５３０）。前記設定された指令が水に浸かったお米の炊事であると、制御部３０は前もって設定された第１基準時間（Ａ）が経過したかを判断する（Ｓ５４０）。前もって設定された基準時間（Ａ）が経過したら、制御部３０はマグネトロン駆動部４１を制御してマグネトロン１１ａの出力を低めることで、炊飯の水が煮えこぼれないようにする（Ｓ５５０）。
【００２２】
一方、前記段階Ｓ５３０で、前記指令が水に浸かったお米の調理でないと判断されると、制御部３０は前もって設定された第２基準時間（Ｂ）が経過したかを判断する（Ｓ５３０ａ）。前もって設定された第２時間（Ｂ）が経過したら、制御部３０はマグネトロン駆動部４１を制御してマグネトロン１１ａの出力を低めることで、炊飯の水が煮えこぼれないようにする（Ｓ５５０）。
【００２３】
前記段階Ｓ５５０の後、制御部３０は湿度センサー１７により炊飯の水が沸いたかを判断する（Ｓ５６０）。前記段階で、炊飯の水が沸いたと判断されると、制御部３０は炊飯の水が沸くまでに経過した時間を前記第１炊事時間（Ｔ１）として設定する（Ｓ５７０）。制御部３０は前記第１炊事時間（Ｔ１）に基づいて第２炊事時間（Ｔ２）を設定する（Ｓ５８０）。すなわち、制御部３０は設定時間に前記第１炊事時間（Ｔ１）を合わせるか、又は前記第１炊事時間（Ｔ１）に調理物の種類に相応する前もって設定された因子を掛けることにより、第２炊事時間（Ｔ２）を設定することになる。
【００２４】
一方、前記段階Ｓ５２０で、湿度センサー１７により炊飯の水が沸いたと判断されると、制御部３０は炊飯の水が沸くまでに経過した時間が前もって設定された基準炊事時間を超えるかを判断する（Ｓ５２０ａ）。前記経過時間が前もって設定された基準炊事時間を超えていないと、制御部３０は前記第２炊事時間（Ｔ２）を設定最小時間と設定し（Ｓ５２０ｂ）、第１炊事段階の初期段階に復帰する。前記経過した時間が前記前もって設定された基準炊事時間を超えると、制御部３０は段階Ｓ５７０に進行するように制御する。
【００２５】
図４の第２炊事段階（Ｓ６００）を図７に示し、これを図１ないし図３Ａを参照しながら詳細に説明する。
制御部３０は、調理物を蒸らすための前もって設定された出力でマグネトロン１１ａを駆動する（Ｓ６１０）。この際、制御部３０は前記第２炊事時間（Ｔ２）が経過したかを判断する（Ｓ６２０）。前記第２炊事時間（Ｔ２）が経過したら、制御部３０はマグネトロン駆動部４１を制御してマグネトロン１１ａの動作を停止させ、ファン駆動部４２を制御して冷却ファン１１ｂの動作を停止させることで、炊事動作を終了し（Ｓ６３０）、前記第２炊事段階の初期段階に復帰する。
【００２６】
【発明の効果】
以上説明したように、本発明による電子レンジの制御方法は、茶碗飯の炊事に際して、炊飯の水が沸く前に電子レンジの出力を低めることにより、炊飯の水が煮えこぼれることを防止することができる。本発明は、一人分のご飯であるか又は数人分のご飯であるかにかかわらず、ご飯を全体として均等に炊事することができる。すなわち、本発明の方法を適用すると、炊飯の水が茶碗から煮えこぼれないように、炊事時間とマグネトロンの出力を制御するので、一人分の茶碗飯であっても均等に蒸らすことができる。また、本発明は容器に入っているか入っていない一人分又は数人分のスープ、コーヒー及びそのほかの飲食物にも適用することができる。
【００２７】
本発明を用いるシステムとしては、本発明の処理及びデータ構造が格納及び分配できる磁気ディスク、光ディスク、ＲＡＭ、ＲＯＭなどの永久記憶装置又は取外し可能な装置が含まれる。
【図面の簡単な説明】
【図１】  本発明による電子レンジの構造を説明する平断面図である。
【図２】  図１の電子レンジの構成を説明するブロック図である。
【図３Ａ】  本発明による図１及び図２の電子レンジの出力制御を説明するグラフである。
【図３Ｂ】  本発明による図１及び図２の電子レンジの調理物の温度制御を説明するグラフである。
【図４】  本発明のほかの実施形態による図１及び図２の電子レンジの制御方法を説明する流れ図である。
【図５】  本発明による図４の方法の初期段階を説明する詳細流れ図である。
【図６】  本発明による図４の方法の第１炊事段階を説明する詳細流れ図である。
【図７】  本発明による図４の方法の第２炊事段階を説明する詳細流れ図である。
【符号の説明】
１１…電装品室
１１ａ…マグネトロン
１１ｂ…冷却ファン
１１ｃ…案内ダクト
１１ｄ…吸入口
１２…調理室
１２ａ…調理トレー
１２ｂ…モータ
１２ｃ…重量センサー
１３…ドア
１４…コントロールパネル
１４ａ…入力部
１４ｂ…表示部
１５ａ…流入口
１６ａ…排気口
１７…湿度センサー
３０…制御部
４１…マグネトロン駆動部
４２…ファン駆動部
４３…モータ駆動部
４４…表示駆動部
【図１】
0003977195.tif 000002
【図２】
0003977195.tif 000003
【図３Ａ】
0003977195.tif 000004
【図３Ｂ】
0003977195.tif 000005
【図４】
0003977195.tif 000006
【図５】
0003977195.tif 000007
【図６】
0003977195.tif 000008
【図７】
0003977195.tif 000009